【手続補正書】
【提出日】平成15年9月5日(2003.9.5)
【手続補正１】
【補正対象書類名】特許請求の範囲
【補正対象項目名】全文
【補正方法】変更
【補正の内容】
【特許請求の範囲】
【請求項１】
ネットワークからデジタルビデオ信号を受信し、該デジタルビデオ信号を復号し、テレビ受像機の標準ビデオインタフェースに供給するために復号されたビデオ信号を発生する、少なくとも１つの第１回路基板上の第１回路とを備えるテレビ受像機用の制御システムであって、前記第１回路がネットワークから及び／またはユーザインタフェースから制御命令を受信し、そこから汎用制御信号を発生させるために使用することもでき、制御システムが、テレビ受像機の型に特定的である少なくとも１つの第２回路基板上に設けられる第２回路をさらに備え、前記第２回路が第１回路から前記汎用制御信号を受信し、制御命令に従ってテレビ受像機を制御できるように、テレビ受像機の制御インタフェースに供給するために、前記汎用制御信号を特定の制御信号に変換するために使用できることを特徴とする制御システム。
【請求項２】
前記１つの第２回路基板が、テレビ受像機のハウジングの内部のテレビ受像機のメイン回路基板上のスロットに設置され、前記１つの第１回路基板がテレビ受像機ハウジングとは別個のハウジングの内部に設置されることを特徴とする請求項１に記載のシステム。
【請求項３】
前記ハウジングは、テレビ受像機の基部に取り付けられ、又は、壁に固定されるように構成したことを特徴とする請求項２に記載のシステム。
【請求項４】
前記１つの第１回路基板及び前記１つの第２回路基板が、それぞれ、テレビ受像機のハウジングの内部のテレビ受像機のメイン回路基板上の第１スロットと第２スロットに設置されることを特徴とする請求項１に記載のシステム。
【請求項５】
前記１つの第２回路基板が、テレビ受像機のハウジングの内部のテレビ受像機のメイン回路基板上の第１スロットに設置され、前記１つの第１回路基板が、前記１つの第２回路基板または第２回路基板の１つに設けられた第２スロットに設置されることを特徴とする請求項１に記載のシステム。
【請求項６】
前記第１回路は、前記テレビ受像機の電源を使用し、そして／又は、前記テレビ受像機の内部のシールドによりシールドされていることを特徴とする請求項４又は５に記載のシステム。
【請求項７】
テレビ受像機を制御するための少なくとも１つの第１回路基板上の第１回路と、少なくとも１つの第２回基板路上の第２回路の組み合わせであって、第１回路基板が、ネットワークからデジタルビデオ信号を受信し、デジタルビデオ信号を復号し、テレビ受像機の標準ビデオインタフェースに供給するために復号されたビデオ信号を発生する手段を有し、前記第１回路がさらにネットワークから及び／またはユーザインタフェースから制御命令を受信し、そこから汎用制御信号を発生させる手段をさらに備え、前記第２回路が、前記第１回路から前記汎用制御信号を受信し、制御命令に従ってテレビ受像機を制御できるようにテレビ受像機の制御インタフェースに供給するために、前記汎用制御信号を、該汎用制御信号とは異なるフォーマットを有する特定的な制御信号に変換する手段を有することを特徴とする組み合わせ。
【請求項８】
前記１つの第１回路基板と前記１つの第２回路基板とが、テレビ受像機のメイン回路基板上にそれぞれの第１スロットと第２スロットに設置するための手段を有することを特徴とする請求項７に記載の組み合わせ。
【請求項９】
前記１つの第２回路基板が、テレビ受像機のメイン回路基板上の第１スロットに設置するための手段を有し、前記１つの第１回路基板が、前記１つの第１回路基板または第１回路基板の内の１つに設けられた第２スロットに設置するための手段を有することを特徴とする請求項７に記載の組み合わせ。
【請求項１０】
テレビ受像機を制御するための少なくとも１つの第１回路基板上の第１回路と、少なくとも１つの第２回路基板上の第２回路の組み合わせであって、前記第１回路はネットワークからデジタルビデオ信号を受信し、テレビ受信機の標準ビデオインタフェースに供給するために該デジタルビデオ信号を復号し、復号されたビデオ信号を発生する第１受信機を有し、前記第１回路が、ネットワークから及び／またはユーザインタフェースから制御命令を受信し、そこから汎用制御信号を発生するプロセッサをさらに備え、前記第２回路が前記第１回路から前記汎用制御信号を受信し、制御命令に従ってテレビ受像機を制御できるようにテレビ受像機の制御インタフェースに供給するために、該汎用制御信号を、該汎用制御信号とは異なるフォーマットを有する特定の制御信号に変換する第２受信機を有することを特徴とする組み合わせ。
【請求項１１】
前記特定の制御信号は、テレビ受像機のパラメータを調整するための制御信号であることを特徴とする請求項１乃至１０の何れかに記載のシステム又は組合せ。
【請求項１２】
前記特定の制御信号は、音量、輝度又は色彩を調整するための制御信号であることを特徴とする請求項１１に記載のシステム又は組合せ。
【請求項１３】
前記第１回路は、セットトップボックスチップセットであることを特徴とする請求項１乃至１２の何れかに記載のシステム又は組合せ。
【請求項１４】
前記第１回路は、ＩＢＭＳＴＢ０３ｘｘｘのチップセットであることを特徴とする請求項１３に記載のシステム又は組合せ。
【請求項１５】
前記第１回路は、サーバに前記テレビ受像機を制御せしめるように構成したことを特徴とする請求項１乃至１４の何れかに記載のシステム又は組合せ。
【請求項１６】
前記第１回路は、例えば、警報呼び出し又はメッセージを表示するために、時間を表示したり、又は、前記テレビ受像機の電源を投入するように、前記サーバをして前記テレビ受像機を制御せしめるように構成したことを特徴とする請求項１５に記載のシステム又は組合せ。
【請求項１７】
前記それぞれの第１回路基板は、カード状であり、そして／又は、前記それぞれの第２回路基板は、カード状であることを特徴とする請求項１乃至１６の何れかに記載のシステム又は組合せ。
【請求項１８】
前記第１回路は、前記受信機にアドレス指定されるとき、サーバからデジタルビデオ信号を受信することができ、しかも、前記受信機と前記サーバとの間でポイントツーポイント通信が確立されるように構成されていることを特徴とする請求項１乃至１７の何れかに記載のシステム又は組合せ。
【請求項１９】
前記第１回路は、ＩＰプロトコル、好ましくは、ＵＤＰ／ＩＰプロトコルを用いてアドレス指定されるとき、デジタルビデオ信号を受信することができるように構成されていることを特徴とする請求項１８に記載のシステム又は組合せ。
【請求項２０】
前記第１回路は、前記デジタルビデオ信号をデコードして、アナログフォーマット、好ましくは、ＲＧＢ、ＣＶＢＳ又はＳ／ＶＨＳのフォーマットでデコードされたビデオ信号を生成するように構成されていることを特徴とする請求項１乃至１９の何れかに記載のシステム又は組合せ。
【請求項２１】
前記第１回路は、ＭＰＥＧ２データを解凍するための手段を含むことを特徴とする請求項１乃至２０の何れかに記載のシステム又は組合せ。
【請求項２２】
前記第１回路は、使用されるネットワークケブリングの種類に特定的であることを特徴とする請求項１乃至２１の何れかに記載のシステム又は組合せ。
【請求項２３】
前記第１回路は、カテゴリ５、電話又は同軸ケーブルの何れか一つにより前記ネットワークに接続されるように構成されていることを特徴とする請求項２２に記載のシステム又は組合せ。
【請求項２４】
前記第１回路は、リアルタイムオペレーティングシステムを用いて動作するように構成されていることを特徴とする請求項１乃至２３の何れかに記載のシステム又は組合せ。
【請求項２５】
前記リアルタイムオペレーティングシステムは、ＴＣＰ／ＩＰスタックをサポートしていることを特徴とする請求項２４に記載のシステム又は組合せ。
【請求項２６】
テレビ受像機を制御するさまざまな回路基板であって、さまざまな回路基板のそれぞれの回路基板は、汎用回路基板に対する接続の手段を備え、前記さまざまな回路基板のそれぞれの回路基板は、ネットワークから及び／またはユーザインタフェースから受信される制御命令に基づいた汎用制御信号を汎用回路基板から受信する手段と、該汎用制御信号を、該汎用制御信号とは異なるフォーマットを有する特定的な制御信号に変換する手段と、制御命令に従ってテレビ受像機を制御できるように、テレビ受像機の制御インタフェースに該特定的な制御信号を供給する手段とを備えることを特徴とするさまざまな回路基板。
【請求項２７】
前記特定的な制御信号のフォーマットが、前記さまざまな回路基板についてすべて異なることを特徴とする請求項２６に記載のさまざまな回路基板。
【請求項２８】
前記さまざまな回路基板の各々が、汎用回路基板をインストールするためのスロットを有することを特徴とする請求項２６または２７に記載のさまざまな回路基板。
【請求項２９】
テレビ受像機を制御するさまざまな回路基板であって、さまざまな回路基板のそれぞれの回路基板は、汎用回路基板に対する接続の手段を備え、前記さまざまな回路基板のそれぞれの回路基板は、ネットワークから及び／またはユーザインタフェースから受信される制御命令に基づいた汎用制御信号を汎用回路基板から受信する受信機と、前記汎用制御信号を、前記汎用制御信号とは異なるフォーマットを有する特定的な制御信号に変換し、制御命令に従ってテレビ受像機を制御できるように、該特定的な制御信号をテレビ受像機の制御インタフェースに供給するプロセッサとを備えることを特徴とするさまざまな回路基板。
【請求項３０】
各回路基板は、テレビ受像機の様式及び形式に特定的であることを特徴とする請求項２６乃至２９の何れか１項に記載のさまざまな回路基板。
【請求項３１】
ある特定のテレビ受像機のために請求項１から６のいずれかに記載される制御信号を構成する方法であって、異なる型のテレビ受像機のためにこのような第２回路基板の集合から該特定のテレビ受像機の型に特定的である回路基板を選択することと、選択された第２回路基板をこのような第１回路基板とともに設置することとを備えることを特徴とする方法。
【請求項３２】
少なくとも１つの第１回路基板上の第１回路において、ネットワークから及び／またはユーザインタフェースから制御命令を受信し、そこから汎用制御信号を発生させる工程と、
テレビ受像機の型式に特定的である少なくとも１つの第２回路基板上に設けられる第２回路において、前記汎用制御信号を受信する工程と、
前記第２回路において、前記汎用制御信号を特定の制御信号に変換する工程と、
前記汎用制御信号を前記テレビ受像機の制御インタフェースに供給する工程と、
前記制御命令に従って、前記テレビ受像機を制御する工程とからなるテレビ受像機を制御する方法において、
前記少なくとも１つの第１回路が、ネットワークからデジタルビデオ信号を受信し、前記デジタルビデオ信号をデコードして、デコードしたビデオ信号を生成し、この信号を前記テレビ受像機の標準ビデオインタフェースに供給することを特徴とするテレビ受像機を制御する方法。
【請求項３３】
テレビ受像機のハウジングの内部に設けられた当該テレビ受像機のメイン回路基板上のスロットに１つの前記第２回路基板を設置すると共に、前記テレビ受像機ハウジングとは別個のハウジングの内部に前記１つの第１回路基板を設置する工程を更に含むことを特徴とする請求項３２に記載の方法。
【請求項３４】
テレビ受像機のハウジングの内部に設けられた当該テレビ受像機のメイン回路基板上の第１及び第２のスロットに、１つの前記第１回路基板と１つの前記第２回路基板とをそれぞれ設置する工程を更に含むことを特徴とする請求項３２に記載の方法。
【請求項３５】
テレビ受像機のハウジングの内部に設けられた当該テレビ受像機のメイン回路基板上の第１スロットに１つの前記第２回路基板を設置すると共に、前記１つの第２回路基板上又は第２回路基板の１つに設けられた第２スロットに前記１つの第１回路基板を設置する工程を更に含むことを特徴とする請求項３２に記載の方法。
【請求項３６】
前記少なくとも１つの第１回路基板及び前記少なくとも１つの第２回路基板が、それぞれ請求項１乃至２５のシステム又は組合せに含まれる少なくとも１つの第１回路基板及び少なくとも１つの第２回路基板であることを特徴とする請求項３２乃至３５の何れか１項に記載の方法。
【請求項３７】
テレビジョン／ビデオ信号を様々な場所の配信する為のシステムに用いられる受信機であって、ＩＢＭＳＴＢ０３ｘｘｘのようなセットトップボックスチップセットと、Red Hat Linuxのようなリアルタイムオペレーティングシステムと、ＭＰＥＧ２データを解凍する手段とを備えた受信機において、
前記受信機が、カテゴリ５、電話又は同軸ケーブルに接続できるように構成され、ＩＰプロトコルを用いてアドレス指定されたとき、デジタルビデオ信号が受信できるように構成したことを特徴とする受信機。
【請求項３８】
さまざまな場所にテレビジョン信号／ビデオ信号／無線信号／音声信号を配信するシステムであって、複数の番組にデジタルテレビジョン信号／ビデオ信号／無線信号／音声信号を提供できるサーバと、前記それぞれの場所にある複数の受信機と、前記サーバを該受信機に接続するネットワークとを備え、各受信機が番組内の必要とされるものを選択し、選択をサーバに通信するために使用可能であり、前記サーバが、前記選択に応答して、その番組を選択した受信機にアドレス指定されるネットワーク上で選択された番組のためのデジタルテレビジョン信号／ビデオ信号／無線信号／音声信号を送信するように構成され、各受信機が、前記サーバから当該受信機までポイントツーポイント通信が確立されるように、その受信機にアドレス指定されるデジタルテレビジョン信号／ビデオ信号／無線信号／音声信号に応答するように構成したことを特徴とするシステム。
【請求項３９】
テレビジョン信号／ビデオ信号をさまざまな場所に配信するシステムで使用するための受信機であって、該システムは、複数の番組にデジタルテレビジョン信号／ビデオ信号を提供できるサーバを備え、該受信機は、ネットワークによる前記サーバへの接続を可能にする手段と、番組の内の必要とされる番組を選択する手段と、前記サーバに選択を通信する手段とを備え、前記受信機が、前記サーバから当該受信機までポイントツーポイント通信が確立されるように、前記サーバからネットワークを介して送信され、且つその受信機にアドレス指定されるデジタルテレビジョン信号／ビデオ信号に応答するように構成したことを特徴とする受信機。
【請求項４０】
テレビジョン信号／ビデオ信号をさまざまな場所に配信するシステム内で使用するための受信機であって、該システムは、複数の番組にデジタルテレビジョン信号／ビデオ信号を提供できるサーバを備え、受信機は、ネットワークを介するサーバへの接続と、番組の内の必要とされる番組を選択するセレクタと、選択をサーバに通信する送信機とを備え、前記受信機が、前記サーバから当該受信機までポイントツーポイント通信が確立されるように、前記サーバからネットワークを介して送信され、且つその受信機にアドレス指定されるデジタルテレビジョン信号／ビデオ信号に応答するように構成したことを特徴とする受信機。
【請求項４１】
請求項３８の配信システムを設置する方法であって、構内の電話システム用に電話ケーブルの既存の装置を有する構内用の配信システムを設置する方法において、前記配信システムのネットワークの電話ケーブルの既存の装置の少なくとも一部を使用する工程を含むことを特徴とする方法。
【請求項４２】
請求項３８の配信システムを設置する方法であって、構内で、あるいは構内にアナログテレビジョン信号を配信するための同軸ケーブルの既存の装置を有する構内用の配信システムを設置する方法において、前記配信システムのネットワークの同軸ケーブルの既存の装置の少なくとも一部を使用する工程を含むことを特徴とする方法。
【請求項４３】
テレビジョン信号／ビデオ信号／無線信号／音声信号をさまざまな場所に配信する方法であって、該方法が、デジタルテレビジョン信号／ビデオ信号／無線信号／音声信号を複数の番組に提供することができるサーバを設けることと、前記場所のそれぞれの場所に設置するための複数の受信機を設けることと、前記サーバを前記受信機に接続するネットワークを設けることとからなり、各受信機が番組の内の必要とされる１つを選択し、選択を前記サーバに通信し、前記サーバがこのような選択に応え、その番組を選択した受信機にアドレス指定されるネットワーク上で選択された番組のためのデジタルテレビジョン信号／ビデオ信号／無線信号／音声信号を送信し、各受信機が、ポイントツーポイント通信が前記サーバと当該受信機間に確立されるように、当該受信機にアドレス指定されるデジタルテレビジョン信号／ビデオ信号／無線信号／音声信号に応答することを特徴とする方法。